(57)【要約】【課題】環境に応じて省エネルギー化を効果的に図ることが可能な冷却装置を提供する。【解決手段】この冷却装置１００は、冷却ユニット２０と、冷却ユニット２０に接続される冷却器４と、冷却器４に空気を流通させて、冷却器４に流通する冷媒１０ｂとの間で熱交換を行わせるための冷却器用ファン５と、開状態で冷媒１０ｂを冷却器４に流通させるとともに、閉状態で冷媒１０ｂの冷却器４への流通を遮断する電磁弁６と、冷却器４が配置される冷却庫１０１の庫内の温度に基づいて、電磁弁６の開閉制御を行うとともに、電磁弁６が閉状態の場合に、冷却器用ファン５を停止状態にする制御部８と、を備える。そして、制御部８は、電磁弁６が閉状態となった時点から次に開状態となる時点までの電磁弁６の閉状態の時間の長さに基づいて、冷却ユニット２０の冷却能力を調節するように構成されている。【選択図】図１
2017138045.tif 000002
【特許請求の範囲】
【請求項１】
圧縮機と凝縮器とを含む冷却ユニットと、
前記冷却ユニットに接続されるとともに、冷媒が流通する冷却器と、
前記冷却器に空気を流通させて、前記冷却器に流通する前記冷媒との間で熱交換を行わせるための冷却器用ファンと、
前記冷却ユニットと前記冷却器との間に設けられ、開状態で前記冷媒を前記冷却器に流通させるとともに、閉状態で前記冷媒の前記冷却器への流通を遮断する制御弁と、
前記冷却器が配置される庫内の温度に基づいて、前記制御弁の開閉制御を行うとともに、前記制御弁が閉状態の場合に、前記冷却器用ファンを停止状態、間欠運転、または速度低下運転にする制御部と、を備え、
前記制御部は、前記制御弁が閉状態となった時点から次に開状態となる時点までの前記制御弁の閉状態の時間の長さに基づいて、前記冷却ユニットの冷却能力を調節するように構成されている、冷却装置。
【請求項２】
前記制御部は、前記制御弁の閉状態の時間の長さが第１の時間以上の場合には、前記冷却ユニットの冷却能力を上げる第１の制御を行い、前記制御弁の閉状態の時間の長さが第２の時間未満の場合には、前記冷却ユニットの冷却能力を下げる第２の制御を行うように構成されている、請求項１に記載の冷却装置。
【請求項３】
前記制御部は、前記冷却ユニットの低圧圧力の設定値かまたは蒸発温度の設定値を下げることにより、前記冷却ユニットの冷却能力を上げる前記第１の制御を行い、前記冷却ユニットの低圧圧力の設定値かまたは蒸発温度の設定値を上げることにより、前記冷却ユニットの冷却能力を下げる前記第２の制御を行うように構成されている、請求項２に記載の冷却装置。
【請求項４】
前記制御部は、前記冷却ユニットの冷却能力を上げる前記第１の制御を行う場合には、前記冷却ユニットが駆動可能な範囲のうち最大の冷却能力となるように、前記冷却ユニットの低圧圧力の設定値かまたは蒸発温度の設定値を設定するように構成されている、請求項３に記載の冷却装置。
【請求項５】
前記制御部は、前記冷却ユニットの冷却能力を下げる前記第２の制御を行う場合には、前記冷却器が配置される庫内の温度が維持可能な最小の冷却能力となるように、前記冷却ユニットの低圧圧力の設定値かまたは蒸発温度の設定値を設定するように構成されている、請求項３または４に記載の冷却装置。
【発明の詳細な説明】
【技術分野】
【０００１】
この発明は、冷却装置に関し、特に、冷却器用ファンを備える冷却装置に関する。
【背景技術】
【０００２】
従来、冷却器用ファンを備える冷却装置が知られている（たとえば、特許文献１参照）。
【０００３】
上記特許文献１には、コンテナ庫を冷却するための冷凍装置（冷却装置）が開示されている。この冷凍装置は、圧縮機と、凝縮器と、膨張弁と、蒸発器とを備えている。この冷凍装置では、蒸発器近傍に、庫内空気を蒸発器に流通させる庫内ファン（冷却器用ファン）が設けられている。また、この冷凍装置は、省エネ運転モードにより動作可能に構成されている。省エネ運転モードでは、庫内温度が設定温度に維持されたことに基づいて、冷却能力を増大させて目標範囲の下限値まで庫内温度を引き下げた後、圧縮機および庫内ファンが停止される。これにより、圧縮機および庫内ファンの停止期間が延長されて、省エネルギー化が図られる。
【先行技術文献】
【特許文献】
【０００４】
【特許文献１】特開２００９−８５５０１号公報
【発明の概要】
【発明が解決しようとする課題】
【０００５】
しかしながら、上記特許文献１に記載の冷凍装置の省エネ運転モードでは、庫内温度が設定温度に維持されたことに基づいて、冷却能力を増大させて目標範囲の下限値まで庫内温度を引き下げた後、圧縮機および庫内ファンが停止されるだけで、季節などによって変化する熱負荷が考慮されていない。この結果、熱負荷によらず同じ動作が行われるため、環境に応じて省エネルギー化を効果的に図ることが困難な場合があるという問題点がある。
【０００６】
この発明は、上記のような課題を解決するためになされたものであり、この発明の１つの目的は、環境に応じて省エネルギー化を効果的に図ることが可能な冷却装置を提供することである。
【課題を解決するための手段】
【０００７】
この発明の一の局面による冷却装置では、圧縮機と凝縮器とを含む冷却ユニットと、冷却ユニットに接続されるとともに、冷媒が流通する冷却器と、冷却器に空気を流通させて、冷却器に流通する冷媒との間で熱交換を行わせるための冷却器用ファンと、冷却ユニットと冷却器との間に設けられ、開状態で冷媒を冷却器に流通させるとともに、閉状態で冷媒の冷却器への流通を遮断する制御弁と、冷却器が配置される庫内の温度に基づいて、制御弁の開閉制御を行うとともに、制御弁が閉状態の場合に、冷却器用ファンを停止状態、間欠運転、または速度低下運転にする制御部と、を備え、制御部は、制御弁が閉状態となった時点から次に閉状態となる時点までの制御弁の閉状態の時間の長さに基づいて、冷却ユニットの冷却能力を調節するように構成されている。
【０００８】
ここで、開状態で冷媒を冷却器に流通させるとともに、閉状態で冷媒の冷却器への流通を遮断する制御弁が閉状態の場合に、冷却器用ファンを停止状態、間欠運転、または速度低下運転にするような冷却装置では、冷却ユニットの冷却能力を上げると、冷却を迅速に行うことができるので、その分、制御弁の開状態の時間を短くすることができる。これにより、冷却器用ファンの通常運転状態の時間を短くして、冷却器用ファンの消費電力量を抑制することができる。しかしながら、冷却ユニットの冷却能力を上げる場合には、冷却ユニットの冷却効率（単位電力当たりの冷却能力）が下がるので、冷却ユニットの消費電力量が増加してしまう。一方、このような冷却装置では、冷却ユニットの冷却能力を下げると、制御弁の開状態の時間が長くなるので、冷却器用ファンの通常運転状態の時間が長くなり、その分、冷却器用ファンの消費電力量が増加する。しかしながら、冷却ユニットの冷却能力を下げる場合には、冷却ユニットの冷却効率が上がるので、冷却ユニットの消費電力量を抑制することができる。
【０００９】
以上のように、冷却ユニットの消費電力量を抑制すると、冷却器用ファンの消費電力量が増加し、冷却ユニットの消費電力量が増加すると、冷却器用ファンの消費電力量が抑制されるため、冷却器用ファンの消費電力量と冷却ユニットの消費電力量とはトレードオフの関係にある。この場合、冷却ユニットの冷却能力を上げるかまたは下げるかのいずれにより冷却装置のトータルの消費電力量を抑制できるかは、冷却器用ファンの消費電力量と冷却ユニットの消費電力量との比による。また、冷却器用ファンの消費電力量と冷却ユニットの消費電力量との比は、季節などによって変化する熱負荷に応じて変化する。
【００１０】
そこで、この発明の一の局面による冷却装置では、制御弁が閉状態となった時点から次に開状態となる時点までの制御弁の閉状態の時間の長さに基づいて、冷却ユニットの冷却能力を調節する制御部を設ける。これにより、制御弁の閉状態の時間の長さが相対的に長く、熱負荷が小さいと考えられる場合に、冷却ユニットの冷却能力を上げて、冷却器用ファンの通常運転状態の時間を短くすることができる。その結果、冬期などの熱負荷量が小さく、冷却ユニットの消費電力量に対して冷却器用ファンの消費電力量が大きいと考えられる場合に、消費電力量の抑制効果が大きい冷却器用ファンの消費電力量が積極的に抑制されるので、省エネルギー化を効果的に図ることができる。また、制御弁の閉状態の時間の長さが相対的に短く、熱負荷が大きいと考えられる場合に、冷却ユニットの冷却能力を下げて、冷却ユニットの冷却効率を上げることができる。その結果、夏期などの熱負荷量が大きく、冷却器用ファンの消費電力量に対して冷却ユニットの消費電力量が大きいと考えられる場合に、消費電力量の抑制効果が大きい冷却ユニットの消費電力量が積極的に抑制されるので、省エネルギー化を効果的に図ることができる。これらの結果、季節などによって変化する熱負荷および冷却器用ファンの消費電力量と冷却ユニットの消費電力量との比を考慮して、冷却装置を動作させることができるので、環境に応じて省エネルギー化を効果的に図ることができる。
【００１１】
上記一の局面による冷却装置では、好ましくは、制御部は、制御弁の閉状態の時間の長さが第１の時間以上の場合には、冷却ユニットの冷却能力を上げる第１の制御を行い、制御弁の閉状態の時間の長さが第２の時間未満の場合には、冷却ユニットの冷却能力を下げる第２の制御を行うように構成されている。このように構成すれば、熱負荷が小さいと考えられる制御弁の閉状態の時間の長さが第１の時間以上の場合に、冷却ユニットの冷却能力を上げることができるとともに、熱負荷が大きいと考えられる制御弁の閉状態の時間の長さが第２の時間未満の場合に、冷却ユニットの冷却能力を下げることができる。その結果、簡易な制御で、環境に応じた省エネルギー化を効果的に図ることができる。
【００１２】
この場合、好ましくは、制御部は、冷却ユニットの低圧圧力の設定値かまたは蒸発温度の設定値を下げることにより、冷却ユニットの冷却能力を上げる第１の制御を行い、冷却ユニットの低圧圧力の設定値かまたは蒸発温度の設定値を上げることにより、冷却ユニットの冷却能力を下げる第２の制御を行うように構成されている。このように構成すれば、低圧圧力の設定値かまたは蒸発温度の設定値を調節することによって、容易に、冷却ユニットの冷却能力を調節することができる。
【００１３】
上記第１の制御を行う構成において、好ましくは、制御部は、冷却ユニットの冷却能力を上げる第１の制御を行う場合には、冷却ユニットが駆動可能な範囲のうち最大の冷却能力となるように、冷却ユニットの低圧圧力の設定値かまたは蒸発温度の設定値を設定するように構成されている。このように構成すれば、冷却ユニットの冷却能力を上げる第１の制御を行う場合に、冷却ユニットが駆動可能な範囲のうち最大の冷却能力まで、冷却ユニットの冷却能力が上がるので、冷却器用ファンの通常運転状態の時間をより短くすることができる。その結果、冬期などの熱負荷量が小さいと考えられる場合に、省エネルギー化をより効果的に図ることができる。
【００１４】
上記第２の制御を行う構成において、好ましくは、制御部は、冷却ユニットの冷却能力を下げる第２の制御を行う場合には、冷却器が配置される庫内の温度が維持可能な最小の冷却能力となるように、冷却ユニットの低圧圧力の設定値かまたは蒸発温度の設定値を設定するように構成されている。このように構成すれば、冷却ユニットの冷却能力を下げる第２の制御を行う場合に、冷却器が配置される庫内の温度が維持可能な最小の冷却能力まで、冷却ユニットの冷却能力が下がるので、冷却ユニットの冷却効率をより上げることができる。その結果、夏期などの熱負荷量が大きいと考えられる場合に、省エネルギー化をより効果的に図ることができる。
【発明の効果】
【００１５】
本発明によれば、上記のように、環境に応じて省エネルギー化を効果的に図ることが可能な冷却装置を提供することができる。
【図面の簡単な説明】
【００１６】
【図１】本発明の一実施形態による冷却装置の全体構成を示したブロック図である。
【図２】一実施形態の冷却装置による庫内温度の制御方法を説明するための図である。
【図３】一実施形態の冷却装置による最小時間運転モードを説明するための図である。
【図４】一実施形態の冷却装置による最大時間運転モードを説明するための図である。
【図５】一実施形態の冷却装置による運転モード切替処理を説明するためのフローチャートである。
【図６】本発明の一実施形態の変形例による冷却装置の全体構成を示したブロック図である。
【発明を実施するための形態】
【００１７】
以下、本発明を具体化した実施形態を図面に基づいて説明する。
【００１８】
［本実施形態］
まず、図１〜図４を参照して、本発明の一実施形態による冷却装置１００について説明する。
【００１９】
（冷却装置の構成）
本実施形態による冷却装置（冷蔵／冷凍装置）１００は、図１に示すように、冷却庫１０１の庫内を所定温度に冷却するための装置である。冷却庫１０１は、物品（図示せず）を収容し、収容された物品を冷却しながら保管するための冷却庫である。
【００２０】
冷却装置１００は、圧縮機１と、凝縮器２と、膨張弁３と、冷却器（蒸発器）４と、冷却器用ファン５と、電磁弁６と、温度センサ７と、制御部８とを備えている。
【００２１】
冷却装置１００では、圧縮機１と、凝縮器２と、膨張弁３と、冷却器４とは、冷媒配管１０ａを介してこの順に接続されている。これにより、冷却装置１００では、圧縮機１と、凝縮器２と、膨張弁３と、冷却器４とを含む冷媒回路１０が形成されている。また、冷却装置１００では、冷媒回路１０を冷媒１０ｂが循環することによって、蒸気圧縮式冷凍サイクルが行われる。
【００２２】
冷却装置１００では、圧縮機１と凝縮器２とを含む冷却ユニット２０は、冷却庫１０１の庫外に配置されている。また、冷却装置１００では、冷却器４と、冷却器用ファン５と、電磁弁６と、温度センサ７とは、冷却庫１０１の庫内に配置されている。
【００２３】
圧縮機１は、低温低圧の気体状態の冷媒１０ｂ（以下、「気体冷媒１０ｂ」という）を圧縮するための装置である。圧縮機１は、冷媒配管１０ａを介して、低圧側が冷却器４に接続されている。また、圧縮機１は、冷媒配管１０ａを介して、高圧側が凝縮器２に接続されている。圧縮機１は、冷却器４側から気体冷媒１０ｂを吸入するとともに、吸入された気体冷媒１０ｂを圧縮するように構成されている。また、圧縮機１は、圧縮された気体冷媒１０ｂを凝縮器２側に吐出するように構成されている。圧縮機１では、低温低圧の気体冷媒１０ｂが、高温高圧の気体冷媒１０ｂに変化される。また、圧縮機１は、回転数（運転周波数）を変更することにより冷媒吐出量が制御可能なインバータ制御式圧縮機である。圧縮機１の回転数（運転周波数）は、制御部８により制御される。
【００２４】
凝縮器２は、高温高圧の気体冷媒１０ｂを、凝縮させるための熱交換器である。凝縮器２は、冷媒配管１０ａを介して、流入側が圧縮機１に接続されている。また、凝縮器２は、冷媒配管１０ａおよび電磁弁６を介して、流出側が膨張弁３に接続されている。
【００２５】
冷却ユニット２０には、凝縮器２の近傍に、凝縮器用ファン２ａが設けられている。凝縮器用ファン２ａは、庫外空気を吸い込んで、凝縮器２に送風することによって、凝縮器２に庫外空気を流通させて、凝縮器２内を流通する気体冷媒１０ｂとの間で熱交換を行わせるために設けられている。凝縮器２では、圧縮機１側から流入した高温高圧の気体冷媒１０ｂが、凝縮器用ファン２ａから送風される空気との間で熱交換することによって、高温高圧の液体状態の冷媒１０ｂ（以下、「液冷媒１０ｂ」という）に変化（凝縮）される。
【００２６】
膨張弁３は、高温高圧の液冷媒１０ｂを膨張させるための弁である。膨張弁３は、冷媒配管１０ａおよび電磁弁６を介して、流入側が凝縮器２に接続されている。また、膨張弁３は、冷媒配管１０ａを介して、流出側が冷却器４に接続されている。膨張弁３では、凝縮器２側から流入した高温高圧の液冷媒１０ｂが、膨張弁３により絞り膨張されることによって、低温低圧の気液二相状態の冷媒１０ｂに変化される。
【００２７】
冷却器４は、低温低圧の気液二相状態の冷媒１０ｂを、蒸発させるための熱交換器である。冷却器４は、冷媒配管１０ａを介して、流入側が膨張弁３に接続されている。また、冷却器４は、冷媒配管１０ａを介して、流出側が冷却ユニット２０の圧縮機１に接続されている。
【００２８】
冷却庫１０１の庫内では、冷却器４の近傍に、冷却器用ファン５が設けられている。冷却器用ファン５は、庫内空気を吸い込んで、冷却器４に送風することによって、冷却器４に庫内空気を流通させて、冷却器４内を流通する気液二相状態の冷媒１０ｂとの間で熱交換を行わせるために設けられている。また、冷却器用ファン５は、庫内空気を循環させるように構成されている。冷却器４では、膨張弁３側から流入した低温低圧の気液二相状態の冷媒１０ｂが、冷却器用ファン５から送風される空気との間で熱交換されることによって、低温低圧の気体冷媒１０ｂに変化（蒸発）される。この際、冷却器用ファン５から送風された空気が、気液二相状態の冷媒１０ｂとの間で熱交換されることによって、冷却される。そして、冷却された空気により、冷却庫１０１の庫内が所定の温度に冷却される。
【００２９】
電磁弁６は、冷却ユニット２０の凝縮器２と、冷却器４（膨張弁３）との間の冷媒配管１０ａに設けられている。電磁弁６は、冷媒回路１０を循環する冷媒１０ｂの流通を制御するための弁である。具体的には、電磁弁６は、開状態で冷媒１０ｂを冷却器４に流通させるとともに、閉状態で冷媒１０ｂの冷却器４への流通を遮断するように構成されている。なお、電磁弁６は、特許請求の範囲の「制御弁」の一例である。また、電磁弁６のオン／オフ（開／閉）は、制御部８により制御される。
【００３０】
具体的には、電磁弁６は、制御部８からのオン／オフ指令により、開閉状態が切り替わるように構成されている。電磁弁６は、制御部８からオン指令が入力された場合には、開状態（オン状態）に切り替わるように構成されている。これにより、冷媒配管１０ａを冷媒１０ｂが流れて、熱移動が行われるので、冷却庫１０１の庫内が冷却される。また、電磁弁６は、制御部８からオフ指令が入力された場合には、閉状態（オフ状態）に切り替わるように構成されている。これにより、冷媒配管１０ａを冷媒１０ｂが流れず、熱移動が行われないので、冷却庫１０１の庫内が冷却されない。この状態では、冷却庫１０１の庫内の温度は、徐々に上昇する。
【００３１】
温度センサ７は、冷却庫１０１の庫内の温度を検出するように構成されている。温度センサ７により検出された冷却庫１０１の庫内の温度の検出値は、制御部８により取得される。
【００３２】
制御部８は、ＣＰＵ（Ｃｅｎｔｒａｌ  Ｐｒｏｃｅｓｓｉｎｇ  Ｕｎｉｔ）を含み、冷却装置１００の全体の動作を制御するように構成されている。
【００３３】
ここで、図２を参照して、冷却装置１００による冷却庫１０１の庫内の温度制御について説明する。冷却装置１００では、図２に示すように、目標温度、オン温度、オフ温度の３つの設定温度に基づいて、冷却庫１０１の庫内の温度を所定温度（目標温度）に維持する温度制御が行われる。目標温度は、ユーザが維持を所望する冷却庫１０１の庫内の設定温度である。オン温度は、目標温度よりも高い設定温度であって、電磁弁６を開状態にする設定温度である。オフ温度は、目標温度よりも低い設定温度であって、電磁弁６を閉状態にする設定温度である。
【００３４】
制御部８は、温度センサ７による冷却庫１０１の庫内の温度の検出値に基づいて、冷却庫１０１の庫内の温度がオフ温度以下であると判断される場合には、電磁弁６を閉状態にする制御を行うように構成されている。この際、制御部８は、圧縮機１および冷却器用ファン５を停止状態（オフ）にする制御を行うように構成されている。すなわち、制御部８は、電磁弁６が閉状態の場合に、圧縮機１および冷却器用ファン５を停止状態にする制御を行うように構成されている。
【００３５】
つまり、冷却庫１０１の庫内の温度がオフ温度以下であると判断される場合には、目標温度に対して冷却が過剰であるため、制御部８は、電磁弁６、圧縮機１および冷却器用ファン５をオフにして、冷却庫１０１の冷却を停止する制御を行う。
【００３６】
また、制御部８は、温度センサ７による冷却庫１０１の庫内の温度の検出値に基づいて、冷却庫１０１の庫内の温度がオン温度以上であると判断される場合には、電磁弁６を開状態にする制御を行うように構成されている。この際、制御部８は、圧縮機１および冷却器用ファン５を通常運転状態（オン）にする制御を行うように構成されている。すなわち、制御部８は、電磁弁６が開状態の場合に、圧縮機１および冷却器用ファン５を通常運転状態にする制御を行うように構成されている。
【００３７】
つまり、冷却庫１０１の庫内の温度がオン温度以上であると判断される場合には、目標温度に対して冷却が不足しているため、制御部８は、電磁弁６、圧縮機１および冷却器用ファン５をオンにして、冷却庫１０１の冷却を開始（再開）する制御を行う。
【００３８】
たとえば、時点ｔ０において、冷却装置１００が起動されるとする。その後、冷却庫１０１の庫内が徐々に冷却されて、時点ｔ１において、冷却庫１０１の庫内の温度がオフ温度以下になると、電磁弁６、圧縮機１および冷却器用ファン５がオフにされる。
【００３９】
その後、冷却庫１０１の庫内の温度が徐々に上昇されて、時点ｔ２において、冷却庫１０１の庫内の温度がオン温度以上になると、オフにされていた電磁弁６、圧縮機１および冷却器用ファン５がオンにされる。この結果、時点ｔ２から、冷却装置１００による冷却庫１０１の庫内の冷却が再開される。以後、このような動作が繰り返されることによって、冷却庫１０１の庫内が目標温度に維持される。
【００４０】
（冷却能力の調節に係る制御部の構成）
ここで、本実施形態では、制御部８は、電磁弁６が閉状態となった時点から次に開状態となる時点までの（たとえば、図２に示す時点ｔ１からｔ２までの）電磁弁６の閉状態の時間（オフ時間）の長さに基づいて、冷却ユニット２０（圧縮機１）の冷却能力を調節するように構成されている。
【００４１】
具体的には、制御部８は、電磁弁６の閉状態の時間の長さが所定の時間以上の場合には、冷却ユニット２０の冷却能力を上げる第１の制御を行い、電磁弁６の閉状態の時間の長さが所定の時間未満の場合には、冷却ユニット２０の冷却能力を下げる第２の制御を行うように構成されている。なお、所定の時間としては、冷却庫１０１の熱負荷容量や、冷却ユニット２０の消費電力、冷却器用ファン５の消費電力、冷却ユニット２０の冷却能力などに基づいて予め決定された値を用いることが可能である。また、所定の時間は、特許請求の範囲の「第１の時間」および「第２の時間」の一例である。
【００４２】
また、制御部８は、冷却ユニット２０の低圧圧力の設定値を下げることにより、冷却ユニット２０の冷却能力を上げる第１の制御を行うように構成されている。この際、制御部８は、冷却ユニット２０の低圧圧力が下がるように、冷却ユニット２０の圧縮機１の運転周波数を上げる制御を行うように構成されている。その後、制御部８は、設定された冷却ユニット２０の低圧圧力の設定値を維持するように、冷却ユニット２０の圧縮機１の運転周波数を調節する制御を行うように構成されている。なお、低圧圧力とは、冷却ユニット２０の圧縮機１の低圧側の圧力である。
【００４３】
また、制御部８は、冷却ユニット２０の低圧圧力の設定値を上げることにより、冷却ユニット２０の冷却能力を下げる第２の制御を行うように構成されている。この際、制御部８は、冷却ユニット２０の低圧圧力が上がるように、冷却ユニット２０の圧縮機１の運転周波数を下げる制御を行うように構成されている。その後、制御部８は、設定された冷却ユニット２０の低圧圧力の設定値を維持するように、冷却ユニット２０の圧縮機１の運転周波数を調節する制御を行うように構成されている。
【００４４】
また、本実施形態では、制御部８は、冷却ユニット２０の冷却能力を上げる第１の制御を行う場合には、冷却ユニット２０が駆動可能な範囲のうち最大の冷却能力となるように、冷却ユニット２０の低圧圧力の設定値を設定するように構成されている。たとえば、冷却ユニット２０の圧縮機１を最大の運転周波数で動作させるような低圧圧力の設定値（たとえば、設定可能な限り最小の低圧圧力の設定値）を設定することによって、最大の冷却能力で冷却ユニット２０を動作させることが可能である。本実施形態では、最大の冷却能力で冷却ユニット２０を動作させる運転モードを、「最小時間運転モード」と呼ぶ。
【００４５】
図３に示すように、最小時間運転モードでは、最大の冷却能力で冷却ユニット２０が動作されるため、電磁弁６の開状態の時間（オン時間）（すなわち、冷却庫１０１の庫内の冷却時間）が比較的短くなる。また、電磁弁６の開状態の時間が短くなるのに伴い、冷却器用ファン５の通常運転状態の時間（オン時間）が短くなる（冷却器用ファン５の停止状態の時間（オフ時間）が長くなる）。最小時間運転モードは、冷却器用ファン５の通常運転状態の時間を短くすることによって、冷却器用ファン５の消費電力量を積極的に抑制して、省エネルギー化を図る運転モードである。
【００４６】
また、本実施形態では、制御部８は、冷却能力を下げる第２の制御を行う場合には、冷却庫１０１の庫内の温度が維持可能な最小の冷却能力となるように、冷却ユニット２０の低圧圧力の設定値を設定するように構成されている。たとえば、冷却庫１０１の庫内の熱負荷と出来る限り一致させた冷却能力となるような低圧圧力の設定値を取得（算出）して、取得された低圧圧力の設定値を設定することによって、最小の冷却能力で冷却ユニット２０を動作させることが可能である。また、冷却庫１０１の庫内の熱負荷と出来る限り一致させた冷却能力となるような低圧圧力の設定値は、たとえば、電磁弁６の運転率、冷却庫１０１の庫内温度の平均降下速度、または電磁弁６の平均的オン／オフ周期に基づいて、取得（算出）することが可能である。本実施形態では、最小の冷却能力で冷却ユニット２０を動作させる運転モードを、「最大時間運転モード」と呼ぶ。
【００４７】
図４に示すように、最大時間運転モードでは、最小の冷却能力で冷却ユニット２０が動作されるため、電磁弁６の開状態の時間（オン時間）（すなわち、冷却庫１０１の庫内の冷却時間）が比較的長くなる。また、電磁弁６の開状態の時間が長くなるのに伴い、冷却器用ファン５の通常運転状態の時間（オン時間）が長くなる（冷却器用ファン５の停止状態の時間（オフ時間）が短くなる）。最小時間運転モードは、冷却ユニット２０の冷却能力を下げることにより冷却ユニット２０の冷却効率を上げて、冷却ユニット２０の消費電力量を積極的に抑制して、省エネルギー化を図る運転モードである。
【００４８】
以上のように、制御部８は、電磁弁６の閉状態の時間の長さに応じて、最小時間運転モード（冷却ユニット２０の冷却能力を上げた状態で動作させる運転モード）と、最大時間運転モード（冷却ユニット２０の冷却能力を下げた状態で動作させる運転モード）とを切り替えるように構成されている。
【００４９】
（運転モードの切り替え制御による省エネ効果の説明）
次に、最小時間運転モードと、最大時間運転モードとの切り替え制御による省エネ効果について説明する。
【００５０】
表１に、省エネ制御無し時の冷却ユニット２０と冷却器用ファン５との消費電力量（最小時間運転モードおよび最大時間運転モードの両方の動作を行わない場合の消費電力量）の一例を示す。また、表２に、最大時間運転モードにおける省エネ率の一例を示す。また、表３に、最小時間運転モードにおける省エネ率の一例を示す。
【００５１】
【表１】
2017138045.tif 000003
【００５２】
【表２】
2017138045.tif 000004
【００５３】
【表３】
2017138045.tif 000005
【００５４】
表１に示すように、省エネ制御無し時では、夏期における冷却ユニット２０の消費電力量は、１８００ｋＷｈであり、冬期における冷却ユニット２０の消費電力量は、６００ｋＷｈであり、夏期における冷却器用ファン５の消費電力量は、９００ｋＷｈであり、冬期における冷却器用ファン５の消費電力量は、９００ｋＷｈである。この場合、夏期における冷却ユニット２０と冷却器用ファン５との消費電力量の小計は、２７００ｋＷｈとなる。また、冬期における冷却ユニット２０と冷却器用ファン５との消費電力量の小計は、１５００ｋＷｈとなる。また、夏期および冬期における冷却ユニット２０と冷却器用ファン５との消費電力量の小計は、４２００ｋＷｈとなる。
【００５５】
また、表２に示すように、最大時間運転モードでは、夏期における冷却ユニット２０の省エネ率は、１０％であり、冬期における冷却ユニット２０の省エネ率は、１５％であり、夏期における冷却器用ファン５の省エネ率は、０％であり、冬期における冷却器用ファン５の省エネ率は、０％である。
【００５６】
また、表３に示すように、最小時間運転モードでは、夏期における冷却ユニット２０の省エネ率は、０％であり、冬期における冷却ユニット２０の省エネ率は、０％であり、夏期における冷却器用ファン５の省エネ率は、１０％であり、冬期における冷却器用ファン５の省エネ率は、２０％である。
【００５７】
まず、表１〜表３に示す条件において、最大時間運転モードのみで動作時の冷却ユニット２０と冷却器用ファン５との消費電力量を、表４に示す。
【００５８】
【表４】
2017138045.tif 000006
【００５９】
表４に示すように、最大時間運転モードのみで動作時では、夏期における冷却ユニット２０の消費電力量は、１６２０ｋＷｈとなり、冬期における冷却ユニット２０の消費電力量は、５１０ｋＷｈとなり、夏期における冷却器用ファン５の消費電力量は、９００ｋＷｈとなり、冬期における冷却器用ファン５の消費電力量は、９００ｋＷｈとなる。この場合、夏期における冷却ユニット２０と冷却器用ファン５との消費電力量の小計は、２５２０ｋＷｈとなる。また、冬期における冷却ユニット２０と冷却器用ファン５との消費電力量の小計は、１４１０ｋＷｈとなる。また、夏期および冬期における冷却ユニット２０と冷却器用ファン５との消費電力量の小計は、３９３０ｋＷｈとなる。
【００６０】
次に、表１〜表３に示す条件において、最小時間運転モードのみで動作時の冷却ユニット２０と冷却器用ファン５との消費電力量を、表５に示す。
【００６１】
【表５】
2017138045.tif 000007
【００６２】
表５に示すように、最小時間運転モードのみで動作時では、夏期における冷却ユニット２０の消費電力量は、１８００ｋＷｈとなり、冬期における冷却ユニット２０の消費電力量は、６００ｋＷｈとなり、夏期における冷却器用ファン５の消費電力量は、８１０ｋＷｈとなり、冬期における冷却器用ファン５の消費電力量は、７２０ｋＷｈとなる。この場合、夏期における冷却ユニット２０と冷却器用ファン５との消費電力量の小計は、２６１０ｋＷｈとなる。また、冬期における冷却ユニット２０と冷却器用ファン５との消費電力量の小計は、１３２０ｋＷｈとなる。また、夏期および冬期における冷却ユニット２０と冷却器用ファン５との消費電力量の小計は、３９３０ｋＷｈとなる。
【００６３】
次に、表１〜表３に示す条件において、最小時間運転モードおよび最大時間運転モードの切替動作時の冷却ユニット２０と冷却器用ファン５との消費電力量を、表６に示す。
【００６４】
【表６】
2017138045.tif 000008
【００６５】
表６に示すように、最小時間運転モードおよび最大時間運転モードの切替動作時では、夏期における冷却ユニット２０の消費電力量は、１６２０ｋＷｈとなり、冬期における冷却ユニット２０の消費電力量は、６００ｋＷｈとなり、夏期における冷却器用ファン５の消費電力量は、９００ｋＷｈとなり、冬期における冷却器用ファン５の消費電力量は、７２０ｋＷｈとなる。この場合、夏期における冷却ユニット２０と冷却器用ファン５との消費電力量の小計は、２５２０ｋＷｈとなる。また、冬期における冷却ユニット２０と冷却器用ファン５との消費電力量の小計は、１３２０ｋＷｈとなる。また、夏期および冬期における冷却ユニット２０と冷却器用ファン５との消費電力量の小計は、３８４０ｋＷｈとなる。
【００６６】
表４〜表６に示すように、最大時間運転モードのみで動作させる場合、および最小時間運転モードのみで動作させる場合には、夏期および冬期における冷却ユニット２０と冷却器用ファン５との消費電力量の小計は、３９３０ｋＷｈである一方、最小時間運転モードおよび最大時間運転モードの切替動作を行う場合には、夏期および冬期における冷却ユニット２０と冷却器用ファン５との消費電力量の小計は、３８４０ｋＷｈである。したがって、最大時間運転モードのみで動作させる場合、および最小時間運転モードのみで動作させる場合に比べて、本実施形態の冷却装置１００のように最小時間運転モードおよび最大時間運転モードの切替動作を行う場合の方が、省エネルギー効果が大きい。つまり、本実施形態の冷却装置１００では、最小時間運転モードおよび最大時間運転モードの切替動作を行うことによって、省エネルギー化を効果的に図ることができる。
【００６７】
（運転モード切替処理）
次に、図５を参照して、本実施形態の冷却装置１００による運転モード切替処理についてフローチャートに基づいて説明する。運転モード切替処理は、制御部８により行われる。
【００６８】
図５に示すように、まず、ステップＳ１において、電磁弁６がオフ（閉状態）になったか否かが判断される。電磁弁６がオフになっていないと判断される場合には、ステップＳ１の処理を繰り返す。また、電磁弁６がオフになったと判断される場合には、ステップＳ２に進む。
【００６９】
そして、ステップＳ２において、電磁弁６の閉状態の時間（オフ時間）の検出が開始される。
【００７０】
そして、ステップＳ３において、電磁弁６がオン（開状態）になったか否かが判断される。電磁弁６がオンになっていないと判断される場合には、ステップＳ３の処理を繰り返す。また、電磁弁６がオンになったと判断される場合には、ステップＳ４に進む。
【００７１】
そして、ステップＳ４において、電磁弁６の閉状態の時間の検出が終了される。この結果、ステップＳ２において検出された電磁弁６の閉状態の時間の検出開始時点から、ステップＳ４において検出された電磁弁６の閉状態の時間の検出終了時点までの時間が、電磁弁６の閉状態の時間として取得される。
【００７２】
そして、ステップＳ５において、ステップＳ４において取得された電磁弁６の閉状態の時間の長さが所定の時間以上であるか否かが判断される。電磁弁６の閉状態の時間の長さが所定の時間以上であると判断される場合には、冷却庫１０１の庫内の熱負荷が小さいと考えられるので、ステップＳ６に進む。
【００７３】
そして、ステップＳ６において、冷却装置１００が最小時間運転モードで動作される。すなわち、ステップＳ６では、冷却ユニット２０の低圧圧力の設定値を下げることにより、冷却ユニット２０の冷却能力を上げる第１の制御が行われる。そして、運転モード切替処理が終了される。その後、電磁弁６の閉状態の時間の長さが所定の時間未満であると判断されるまでは、最小時間運転モードで冷却装置１００が動作される。
【００７４】
また、ステップＳ５において、電磁弁６の閉状態の時間の長さが所定時間未満であると判断される場合には、冷却庫１０１の庫内の熱負荷が大きいと考えられるので、ステップＳ７に進む。
【００７５】
そして、ステップＳ７において、冷却装置１００が最大時間運転モードで動作される。すなわち、ステップＳ７では、冷却ユニット２０の低圧圧力の設定値を上げることにより、冷却ユニット２０の冷却能力を下げる第２の制御が行われる。そして、運転モード切替処理が終了される。その後、電磁弁６の閉状態の時間の長さが所定の時間以上であると判断されるまでは、最大時間運転モードで冷却装置１００が動作される。
【００７６】
（本実施形態の効果）
本実施形態では、以下のような効果を得ることができる。
【００７７】
本実施形態では、上記のように、電磁弁６が閉状態となった時点から次に開状態となる時点までの電磁弁６の閉状態の時間の長さに基づいて、冷却ユニット２０の冷却能力を調節する制御部８を設ける。これにより、電磁弁６の閉状態の時間の長さが相対的に長く、熱負荷が小さいと考えられる場合に、冷却ユニット２０の冷却能力を上げて、冷却器用ファン５のオン時間を短くすることができる。その結果、冬期などの熱負荷量が小さく、冷却ユニット２０の消費電力量に対して冷却器用ファン５の消費電力量が大きいと考えられる場合に、消費電力量の抑制効果が大きい冷却器用ファン５の消費電力量が積極的に抑制されるので、省エネルギー化を効果的に図ることができる。また、電磁弁６の閉状態の時間の長さが相対的に短く、熱負荷が大きいと考えられる場合に、冷却ユニット２０の冷却能力を下げて、冷却ユニット２０の冷却効率を上げることができる。その結果、夏期などの熱負荷量が大きく、冷却器用ファン５の消費電力量に対して冷却ユニット２０の消費電力量が大きいと考えられる場合に、消費電力量の抑制効果が大きい冷却ユニット２０の消費電力量が積極的に抑制されるので、省エネルギー化を効果的に図ることができる。これらの結果、季節などによって変化する熱負荷および冷却器用ファン５の消費電力量と冷却ユニット２０の消費電力量との比を考慮して、冷却装置１００を動作させることができるので、たとえば表６に示したように、環境に応じて省エネルギー化を効果的に図ることができる。
【００７８】
また、本実施形態では、上記のように、電磁弁６の閉状態の時間の長さが所定の時間以上の場合には、冷却ユニット２０の冷却能力を上げる第１の制御を行い、電磁弁６の閉状態の時間の長さが所定の時間未満の場合には、冷却ユニット２０の冷却能力を下げる第２の制御を行うように制御部８を構成する。これにより、熱負荷が小さいと考えられる電磁弁６の閉状態の時間の長さが所定の時間以上の場合に、冷却ユニット２０の冷却能力を上げることができるとともに、熱負荷が大きいと考えられる電磁弁６の閉状態の時間の長さが所定の時間未満の場合に、冷却ユニット２０の冷却能力を下げることができる。その結果、簡易な制御で、環境に応じた省エネルギー化を効果的に図ることができる。
【００７９】
また、本実施形態では、上記のように、冷却ユニット２０の低圧圧力の設定値を下げることにより、冷却ユニット２０の冷却能力を上げる第１の制御を行い、冷却ユニット２０の低圧圧力の設定値を上げることにより、冷却ユニット２０の冷却能力を下げる第２の制御を行うように制御部８を構成する。これにより、低圧圧力の設定値を調節することによって、容易に、冷却ユニット２０の冷却能力を調節することができる。
【００８０】
また、本実施形態では、上記のように、冷却ユニット２０の冷却能力を上げる第１の制御を行う場合には、冷却ユニット２０が駆動可能な範囲のうち最大の冷却能力となるように、冷却ユニット２０の低圧圧力の設定値を設定するように制御部８を構成する。これにより、冷却ユニット２０の冷却能力を上げる第１の制御を行う場合に、冷却ユニット２０が駆動可能な範囲のうち最大の冷却能力まで、冷却ユニット２０の冷却能力が上がるので、冷却器用ファン５の通常運転状態の時間をより短くすることができる。その結果、冬期などの熱負荷量が小さいと考えられる場合に、省エネルギー化をより効果的に図ることができる。
【００８１】
また、本実施形態では、上記のように、冷却ユニット２０の冷却能力を下げる第２の制御を行う場合には、冷却器４が配置される冷却庫１０１の庫内の温度が維持可能な最小の冷却能力となるように、冷却ユニット２０の低圧圧力の設定値を設定するように制御部８を構成する。これにより、冷却ユニット２０の冷却能力を下げる第２の制御を行う場合に、冷却器４が配置される冷却庫１０１の庫内の温度が維持可能な最小の冷却能力まで、冷却ユニット２０の冷却能力が下がるので、冷却ユニット２０の冷却効率をより上げることができる。その結果、夏期などの熱負荷量が大きいと考えられる場合に、省エネルギー化をより効果的に図ることができる。
【００８２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８３】
たとえば、上記実施形態では、１つの冷却ユニットに対して、膨張弁、冷却器、冷却器用ファン、電磁弁、および温度センサがそれぞれ１つずつ設けられた冷却装置に本発明を適用した例を示したが、本発明はこれに限られない。本発明は、１つの冷却ユニットに対して、膨張弁、冷却器、冷却器用ファン、電磁弁、および温度センサが複数設けられた冷却装置に適用されてもよい。
【００８４】
たとえば、図６に示す上記実施形態の変形例による冷却装置１００ａでは、冷却庫１０１の庫内に、膨張弁（３、３ａ）と、冷却器（４、４ａ）と、冷却器用ファン（５、５ａ）と、電磁弁（６、６ａ）とが、それぞれ、２つずつ設けられている。冷却装置１００ａでは、圧縮機１と、凝縮器２と、膨張弁３と、冷却器４とを含む冷媒回路１０に加えて、圧縮機１と、凝縮器２と、膨張弁３ａと、冷却器４ａとを含む冷媒回路１１０が形成されている。すなわち、変形例による冷却装置１００ａでは、１つの冷却ユニット２０により、２つの冷媒回路（冷媒回路１０および１１０）が形成されている。
【００８５】
この変形例の場合には、複数（２つ）の電磁弁６および６ａの閉状態の時間の長さに基づいて、冷却ユニット２０の冷却能力を調節すればよい。この場合、電磁弁６および６ａの閉状態の時間の長さの平均値を、複数（２つ）の電磁弁６および６ａの閉状態の時間の長さとして用いてもよいし、電磁弁６または６ａのうちのいずれか閉状態の時間の長さが短い方のオフ時間の長さを、複数（２つ）の電磁弁６および６ａの閉状態の時間の長さとして用いてもよい。なお、この変形例の場合には、電磁弁６または６ａのうちのいずれか一方の電磁弁が閉状態になったとしても、いずれか他方の電磁弁が閉状態にならない（開状態のままの）場合がある。このため、この変形例では、上記実施形態とは異なり、電磁弁６または６ａのうちのいずれか一方の電磁弁が閉状態の場合に、圧縮機１は、オフにならない（オンのままである）。
【００８６】
また、上記変形例では、１つの冷却ユニットに対して、膨張弁、冷却器、冷却器用ファン、電磁弁、および温度センサがそれぞれ２つずつ設けられた冷却装置に本発明を適用した例を示したが、本発明はこれに限られない。本発明は、１つの冷却ユニットに対して、膨張弁、冷却器、冷却器用ファン、電磁弁、および温度センサがそれぞれ３つ以上設けられた冷却装置に適用されてもよい。
【００８７】
また、上記変形例では、１つの冷却ユニットに対して、単一の冷却庫の庫内に、膨張弁、冷却器、冷却器用ファン、電磁弁、および温度センサがそれぞれ複数ずつ設けられた冷却装置に本発明を適用した例を示したが、本発明はこれに限られない。本発明は、１つの冷却ユニットに対して、複数の冷却庫が設けられるとともに、複数の冷却庫の庫内に、それぞれ、膨張弁、冷却器、冷却器用ファン、電磁弁、および温度センサが設けられた冷却装置に適用されてもよい。
【００８８】
また、上記実施形態では、電磁弁（制御弁）が閉状態の場合に、冷却器用ファンが停止状態にされた例を示したが、本発明はこれに限られない。本発明では、制御弁が閉状態の場合に、冷却器用ファンが間欠運転または速度低下運転にされてもよい。
【００８９】
また、上記実施形態では、低圧圧力の設定値を調節することにより、冷却ユニットの冷却能力が調節された例を示したが、本発明はこれに限られない。本発明では、蒸発温度の設定値を調節することにより、冷却ユニットの冷却能力が調節されてもよい。
【００９０】
また、上記実施形態では、冷却ユニットの冷却能力を上げる場合と、冷却ユニットの冷却能力を下げる場合とで、共通のしきい値（所定の時間）が用いられた例を示したが、本発明はこれに限られない。本発明では、冷却ユニットの冷却能力を上げる場合と、冷却ユニットの冷却能力を下げる場合とで、互いに異なるしきい値が用いられてもよい。たとえば、制御弁の閉状態の時間の長さが第１の時間以上の場合に、冷却ユニットの冷却能力を上げる第１の制御を行い、制御弁の閉状態の時間の長さが第１の時間よりも小さい第２の時間未満の場合に、冷却ユニットの冷却能力を下げる第２の制御を行ってもよい。この場合、制御弁の閉状態の時間の長さが第１の時間と第２の時間との間である場合には、たとえば、冷却ユニットの冷却能力を調節することなく、現在の運転モードを継続してもよい。
【００９１】
また、上記実施形態では、冷却ユニットの冷却能力を上げる第１の制御を行う場合に、冷却ユニットが駆動可能な範囲のうち最大の冷却能力となるように冷却能力が調節された例を示したが、本発明はこれに限られない。本発明では、第１の制御において、冷却ユニットの冷却能力が上がれば、冷却ユニットが駆動可能な範囲のうち最大の冷却能力となるように冷却能力が調節されなくてもよい。
【００９２】
また、上記実施形態では、冷却ユニットの冷却能力を下げる第２の制御を行う場合に、冷却庫の庫内の温度が維持可能な最小の冷却能力となるように冷却能力が調節された例を示したが、本発明はこれに限られない。本発明では、第２の制御において、冷却ユニットの冷却能力が下がれば、冷却庫の庫内の温度が維持可能な最小の冷却能力となるように冷却能力が調節されなくてもよい。
【００９３】
また、上記実施形態では、冷媒の流通を制御する制御弁として、電磁弁が用いられた例を示したが、本発明はこれに限られない。本発明では、制御弁として、電磁弁以外の弁が用いられてもよい。
【００９４】
また、上記実施形態では、説明の便宜上、制御部の処理を処理フローに沿って順番に処理を行うフロー駆動型のフローチャートを用いて説明したが、本発明はこれに限られない。本発明では、制御部の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９５】
１  圧縮機
２  凝縮器
４、４ａ  冷却器
５、５ａ  冷却器用ファン
６、６ａ  電磁弁（制御弁）
８  制御部
１０ｂ  冷媒
２０  冷却ユニット
１００、１００ａ  冷却装置
【図１】
2017138045.tif 000009
【図２】
2017138045.tif 000010
【図３】
2017138045.tif 000011
【図４】
2017138045.tif 000012
【図５】
2017138045.tif 000013
【図６】
2017138045.tif 000014